(57)【要約】  本発明は、排泄物の自体処理機能を有する移動式簡易トイレを提供するものであって、排泄物を一側方向に移動させることができるように便器の下方向に備えられる移送手段と、この移送手段によって移送された排泄物と混合し、有機質肥料を生成することができるように、本体の一側に投入される微生物投入手段と、排泄物と微生物を互いに撹拌、粉砕し、有機質堆肥化することができるように移送手段の下端に設置される撹拌手段と、移送手段によって移送される排泄物を乾燥させることができるように前記撹拌手段の下方向に設置される大便ヒータと、本体の内側に流入する小便を蒸発させることができるように本体の内側の下部に設置される小便ヒータとで構成されている。本発明は、別途の浄化槽や水処理施設が不要であることから、水質汚染防止及び浄化槽などの施設費用が節減できるようにした移動式簡易トイレを提供する。
2008504861.tif 000002
【特許請求の範囲】
【請求項１】
階段（１１０）、屋根（１２０）、ドア（１４０）が形成され、本体の内部には用便を行うことができるように所定の高さを持つ便器（１５０）が設置されている移動式簡易トイレにおいて、
前記便器（１５０）の前面には、使用者の足を置くことができるように足場（１３０）が形成され、排泄物を一側方向に移動させることができるように便器（１５０）の下端に設置されたコンベヤー（２１０）を備えている移送手段（２００）と、前記便器（１５０）の後方に微生物投入のために設置されたホッパー（３２０）を備えている微生物投入手段（３００）と、前記微生物投入手段（３００）の下端に設けられた撹拌手段（４００）と、前記移送手段（２００）からの排泄物と、前記微生物投入手段（３００）からの微生物とが互いに撹拌、粉砕されることができるように設置されている撹拌ファン（４１０）と、撹拌手段（４００）の下端に位置し、移送手段（２００）によって運搬された排泄物を乾燥させるために、本体の内壁に設置されている大便ヒータ（５００）と、前記本体（１００）の下部には空間部（１６０）が形成され、前記本体（１００）の空間部（１６０）の内側に流入する小便を蒸発させることができるように、空間部の後方底に設置されている小便ヒータ（５１０）と、前記小便ヒータ（５１０）には階段（１１０）の下に設置されているガイドパネル（５２１）と、下端に設置されたオゾン発生器（６００）を備えている撹拌手段（４００）の上端に位置している排気管（７００）と、移送手段とその他の手段をコントロールすることができるように、本体（１００）の一側の外面に設置されているコントローラ（９００）と、小便を空間部（１６０）に供給するために、本体（１００）の外壁に小便器（８００）が設置され、本体（１００）の内部に存在する空間部（１６０）に設けられた浄化手段（１０００）によって濾過されるように構成されていることを特徴とする移動式簡易トイレ。
【請求項２】
前記便器（１５０）は、便座（１５１）とカバー（１５２）とで構成され、便器（１５０）の便座（１５１）の背面の下部にスイッチ（９１０）が形成されていることを特徴とする請求項１に記載の移動式簡易トイレ。
【請求項３】
本体（１００）の外部に男性用小便器（８００）を設置し、小便器（８００）の両側の所定の位置にパーティション（８２０）が設置されていることを特徴とする請求項１に記載の移動式簡易トイレ。
【請求項４】
前記移送手段（２００）は、排泄物が撹拌手段（４００）側に移動されるように、回転可能にコンベヤー（２１０）の両端に設置されているローラ（２１１）と、コンベヤー（２１０）の後方に近接するように空間部の両側壁に設置されている汚物除去ファン（２２０）と、コンベヤー（２１０）の後方にガイド部材（２３０）を設置し、移送される排泄物が汚物除去ファン（２２０）によって一側に移動することができるように構成されていることを特徴とする請求項１に記載の移動式簡易トイレ。
【請求項５】
前記微生物投入手段（３００）は、前記本体（１００）の外部面に露出するように設置されている投入部（３１０）と、ホッパー（３２０）側に微生物が投入されるように下部に設置されている投入管（３１１）と、撹拌手段（４００）側に一定量の微生物が投入されるようにするホッパー（３２０）が設置されている投入口（３２１）と、一定量の微生物が投入されるようにホッパー（３２０）の投入口（３２１）に設置されている投入ファン（３３０）とを含んで構成されていることを特徴とする請求項１に記載の移動式簡易トイレ。
【請求項６】
前記撹拌手段（４００）は、一定量の排泄物と微生物を収納するために撹拌ファン（４１０）の下部に形成されている収納部（４３０）と、汚物除去ファン（２２０）の一側と投入ファン（３３０）の下方向に設置される撹拌ファン（４１０）と、撹拌された排泄物と微生物を細かく粉砕して排出するために、撹拌ファン（４１０）の下方向に設置されている粉砕／排出ファン（４２０）と、粉砕された排泄物を集めるために、本体（１００）の外部の一側に末端部が突出するように排出管（４４０）が設置されていることを特徴とする請求項１に記載の移動式簡易トイレ。
【請求項７】
前記本体（１００）は、空間部の水分を凝縮するための凝縮器（５２２）と、内側壁に一定量の圧力で水を供給するためのポンプ（５２４）とで構成される凝縮手段（５２０）が設けられていることを特徴とする請求項１に記載の移動式簡易トイレ。
【請求項８】
前記便座（１５１）の上部をカバーするための紙カバー（１５４）が便器（１５０）と近接している本体（１００）の壁に備えられていることを特徴とする請求項２に記載の移動式簡易トイレ。
【請求項９】
前記浄化手段（１０００）は、ガイドパネル（５２１）と、小便器（８００）に沿って流入する小便が１次的に集められ、１次浄化を行う第１浄化部（１１００）と、
前記第１浄化部（１１００）から供給された小便をさらに浄化するための第２浄化部（１２００）と、前記第２浄化部（１２００）から供給された小便をさらに浄化するための第３浄化部（１３００）と、前記第３浄化部（１３００）から供給された小便をさらに浄化するための第４浄化部（１４００）と、前記第１、第２、第３、第４浄化部（１１００、１２００、１３００、１４００）の間にはパーティションパネル（１６００）が設置され、前記第１浄化部と前記第３浄化部のパーティションパネル（１６００）の下面は、所定の排出孔（１５００）を有して形成されていることを特徴とする請求項１に記載の移動式簡易トイレ。
【請求項１０】
前記小便器（８００）は、下部に第１流入管（８１０）が設置され、前記第１流入管（８１０）の一側端に連結されているフィルタ部（８１１）と、空間部（１６０）に小便を供給するために前記フィルタ部（８１１）の他端に連結されている第２流入管（８０２）を含むことを特徴とする請求項１に記載の移動式簡易トイレ。
【請求項１１】
前記コンベヤー（２１０）は、下部の一面に存在する排泄物を除去するために、汚物除去片（２２１）が接触するように設置されていることを特徴とする請求項４に記載の移動式簡易トイレ。
【請求項１２】
前記凝縮手段（５２０）は、水分を凝縮するために、凝縮器（５２２）の下部に設置されているタンク（５２３）と、コンベヤー（２１０）を洗浄するためにコンベヤー（２１０）の下端に設置されている第１ノズル（５３２）及び第２ノズル（５２３）と、前記第１ノズル（５３２）及び第２ノズル（５２３）に水分を供給するための第１供給管（５３１）と、ポンプ（５２４）と第１ノズル及び第２ノズルに水分を供給するための第１供給管（５３１）の間に設置されているメイン供給管（５３０）を含んで構成されていることを特徴とする請求項７に記載の移動式簡易トイレ。
【発明の詳細な説明】
【技術分野】
【０００１】
本発明は、ヒトの排泄物を有機質堆肥に自動処理することができるようにした移動式トイレに関し、より詳細には、移送手段、微生物投入手段、攪拌／排出手段により排泄物を有機質堆肥に変えるようにし、また、小便から発生する水を利用して、自体的に洗浄作業ができるようにした移動式簡易トイレに関するものである。
【背景技術】
【０００２】
一般に、トイレで用便を行った後は、便器の排泄物を処理するために、水で浄化槽に送り、浄化槽に送られた排泄物は、一定期間保留された後、排泄物処理場に送られ、様々な用途として処理されることが普通である。
【０００３】
よって、通常トイレで用便を行うためには、水槽タンク、チリ紙、浄化槽などを少なくとも備える必要がある。このため、トイレで用便を行った後には、必ず水を使用して排泄物を処理することになり、それに使用される水は全国的に数百トンに達している。
【０００４】
水資源が不足している国家の場合、数十年後には水不足になることは自明なことであり、これに対処するための国家的な対策が緊急課題となっている。
【０００５】
また、農作物の栽培においても、有機質堆肥を作って使用するよりも、現実の便利性のため、容易に求めることができる化学肥料を使用することによって土壌の酸性化が進んでいるが、これを解消するための特別な方法がないのが現状である。
【０００６】
また、現在のところ、船舶の場合には、トイレの汚物を海に投棄し、海の主な汚染原因となっており、このような行為は法律で禁止している実情である。
【０００７】
そして、現在使用されている屋外の移動式簡易トイレは、排泄物による臭いがひどく、使用者に嫌な思いをさせるという問題点があった。
【発明の開示】
【発明が解決しようとする課題】
【０００８】
本発明は、ヒトの排泄物を水を使用せずに処理すると同時に、有機質堆肥として生産することができる移動式簡易トイレを提供するものである。
【０００９】
そこで、本発明は上記従来の問題点に鑑みてなされたものであって、本発明の目的は、公園、工事現場、外部駐車場など、トイレが必要な場所に設置し、排泄物を処理するとき、熱風により排泄物を乾燥させると同時に、微生物と混合させて有機質堆肥化し、また、トイレ内部で排泄物による悪臭がしないようにし、小便を利用して自体的に洗浄作業を行うことができるようにした移動式簡易トイレを提供することにある。
【課題を解決するための手段】
【００１０】
上記目的を達成するためになされた本発明の移動式簡易トイレは、階段、屋根、ドアが形成されており、階段の一側に空間を形成し、内部で用便を行うことができるように所定の高さを有する便器が設置され、便器の前面には使用者が足を置くことができるように、階段の上部と同じ高さの足場が形成される本体と、排泄物を一側方向に移動させることができるように便器の下方向に備えられる移送手段と、この移送手段によって移送された排泄物と混合し、有機質肥料を生成することができるように本体の一側に投入される微生物投入手段と、排泄物と微生物を互いに撹拌、粉砕し、有機質堆肥化することができるように移送手段の下端に設置される撹拌手段と、移送手段によって移送される排泄物を乾燥させることができるように前記撹拌手段の下方向に設置される大便ヒータと、本体の内側に流入する小便を蒸発させることができるように本体の内側の下部に設置される小便ヒータと、排泄物と微生物から発生する悪臭、細菌、ウィルスを殺菌することができるように本体の内側に設置されるオゾン発生器と、移送手段が自動に動作し、排泄物を移送することができるように本体の一側に設置されるコントローラと、前記本体の一側には、小便を多段階にわたって浄化することができるように本体の内側に設置される浄化手段とを含んで構成されていることを特徴とする。
【発明の効果】
【００１１】
本発明によれば、移動式簡易トイレは、別途の浄化槽や水処理施設が不要であることから、水質汚染防止及び浄化槽などの施設費用が節減できるという効果がある。
【００１２】
また、有機質堆肥を生成することにより、土壌の酸性化を防止し、有機質堆肥物を使用する農作物に供給することで、健康的な野菜や穀物を消費者に供給できるという効果がある。
【００１３】
また、休憩場、野営場、高速道路、公園などに設置することにより、別途に管理しなくても綺麗なトイレを提供できるとともに、汚物処理費用も節減できるという効果がある。
【発明を実施するための最良の形態】
【００１４】
以下、添付した図面を参照して本発明の移動式簡易トイレの構成を説明する。
【００１５】
図１は、本発明による移動式簡易トイレの外観を示す斜視図であり、図２は、本発明による移動式簡易トイレの内部構成を示す断面図であり、図３は、図２の主要構成を示す拡大断面図であり、図４は、図２の移送手段の構成を示す側面図であり、図５は、本発明による移送手段のコンベヤーの構成を示す平面図であり、図６は、図２の微生物投入手段を示す断面図であり、図７は、図２の微生物投入手段を示す断面図であり、図８は、図２の便器の構成を示す斜視図であり、図９は、図２の便器の構成を示す側面図であり、図１０は、図２の便器の構成を示す平面図であり、図１１は、図２の撹拌ファンを示す側面図であり、図１２は、本発明による小便器に連結される流入手段の構成を示す構成図であり、図１３は、本発明による流入手段の構成を示す断面図である。
【００１６】
図１乃至図１３に示すように、本発明による移動式簡易トイレ１は、階段１１０、屋根１２０、ドア１４０が形成されており、階段１１０の一側に空間が形成され、空間が形成されている部分に用便を行うことができるように、所定の高さを持つ便器１５０が設置され、便器１５０の前面に使用者が足を置くことができるように、階段１１０の上部と同じ高さの足場１３０が形成されている本体１００を備えている。
【００１７】
本体１００には、大きく分けて移送手段２００、微生物投入手段３００、撹拌手段４００、凝縮手段５２０、浄化手段１０００が内側に設置され、本体１００の外部には男性用の小便器８００が設置されている。
【００１８】
小便器８００を介して流入する小便が本体１００の内側に流入することができるように、小便器８００の下端に第１流入管８０１と第２流入管８０２とが設置され、第１流入管８０１と第２流入管８０２の一側に螺線が形成される。
【００１９】
小便器８００を介して流入する小便を浄化するために、第１流入管８０１と第２流入管８０２との間には着脱可能なフィルタ部８１１が設置される。
【００２０】
フィルタ部８１１は、上部から下部に繋がるように形成されるケース８１２を備え、ケース８１２の上部と下部には第１流入管８０１と第２流入管８０２に形成される螺糸線と結合することができるように内側に螺線が形成された結合部材８１４が設けられる。
【００２１】
第１流入管８０１を介して流入する小便に含まれている尿素などのような成分を濾過することができるように、ケース８１２の内側にフィルタ８１３が設けられる。
【００２２】
そして、小便器８００を使用する使用者の体を隠すために小便器８００と離れたところに複数個のパーティション８２０が設置される。
【００２３】
階段１１０は、本体１００の前面に一体に形成され、階段１１０を通じて本体１００の内側に入ることができるように形成される。
【００２４】
階段１１０の上端部にはドア１４０が設けられ、階段１１０の上部と同じ高さの足場１３０がドア１４０の一側に設けられて使用者が足を置くようにし、同時に、使用者が楽な姿勢で用便を行うことができるように構成されている。
【００２５】
また、本体１００の内側の所定の高さを有する足場１３０に所定の高さを持つ便器１５０が設置され、便器１５０には、使用者が座ることができるように便座１５１が設置される。この便座１５１の一側にヒンジ１５３により開閉可能なカバー１５２が取り付けられている。
【００２６】
便座１５１に座って用便を行う際、各使用者が一枚ずつ取り出して使用することができるように、便器１５０が設置された一側に便座１５１をカバーするための紙カバー１５４が設置される。
【００２７】
また、使用済みの紙を廃棄することができるように、本体１００の内側から外側に紙排出口１７０が設けられ、紙排出口１７０から排出される使用済みの紙は、紙排出口１７０に別途に設けられた収去用封筒（図示せず）に集められ、後で収去するようにする。
【００２８】
便座１５１の下部にはスイッチ９１０が形成され、スイッチ９１０は、便座１５１に使用者が座ると押圧されるようになっている。
【００２９】
スイッチ９１０が便座１５１によって押されると、排泄物を移動させるための移送手段２００が便器１５０の下方向に設置される。
【００３０】
移送手段２００として、便座１５１によるスイッチ９１０の操作信号により、排泄物を撹拌手段４００側に移動させるコンベヤー２１０が設置される。
【００３１】
コンベヤー２１０にはローラ２１１が備えられており、排泄物を移動させるための回転が円滑に行われるようにし、ローラ２１１の一側にはモータ（図示せず）を備え、モータは、本体１００外側の所定の位置に設けられるコントローラ９００内に設置される。
【００３２】
コンベヤー２１０の上部側には、移送された排泄物を完全に除去すると同時に、悪臭がするのを防止するために、コンベヤー２１０を掃除するために水を供給する第１供給管５３１が設置される。
【００３３】
第１供給管５３１の一側には、コンベヤー２１０に水を噴射することができるように少なくとも２つ以上の第１ノズル５３２が設置される。
【００３４】
コンベヤー２１０によって移送される排泄物がコンベヤー２１０から完全に離脱するように、その一側にモータによって回転する汚物除去ファン２２２が設置される。なお、汚物除去ファン２２０によって完全に除去されない排泄物は、汚物除去片２２１によってコンベヤー２１０の表面に残留する排泄物を除去し、汚物除去片２２１は、コンベヤー２１０下部の一側に設置される。
【００３５】
タンク５２３に保留されている水を第１ノズル５３２に供給することができるように、ポンプ５２４と第１供給管５３１との間にメイン供給管５３０が設置される。
【００３６】
コンベヤー２１０によって移送された排泄物が落下するとその排泄物を受けると同時に、汚物除去ファン２２０によって一側に移動することができるように、汚物除去ファン２２０の下方向にガイド部材２３０が設置される。
【００３７】
また、便器１５０の便座１５１が取り付けられた背面側には、有機質堆肥を生成できるように微生物を投入する微生物投入手段３００が設けられている。
【００３８】
微生物投入手段３００は、本体１００の一側から撹拌手段４００側に微生物を投入することができるように投入管３１１を有し、投入部３１０が形成され、前記投入部３１０を介して投入される微生物の一定量が溜まることができるように所定の空間が形成される。
【００３９】
撹拌手段４００側に一定量の微生物が投入されるように、投入口３２１を有するホッパー３２０が設置される。
【００４０】
移送手段２００が駆動するときにそれと連動して一定量の微生物が投入されるように、モータによって回転する投入ファン４１０が投入口３２１に設置される。
【００４１】
微生物投入手段３００と移送手段２００の下方向には、撹拌手段４００が設けられている。
【００４２】
撹拌手段４００は、移送手段２００の汚物除去ファン２２０と連動して回転しながら、汚物除去ファン２２０によって送られる排泄物と、投入ファン３３０を介して投入される微生物とを撹拌する撹拌ファン４１０がガイド部材２３０の一側に設置される。
【００４３】
排泄物と微生物が撹拌されるとき、一定量の排泄物と微生物が収納される収納部４３０が撹拌ファン４１０の下方向に形成される。そして、撹拌ファン４１０によって撹拌された排泄物と微生物の一定量は収納部４３０に集められる。
【００４４】
集められた排泄物が乾燥すると、それを細かく粉砕して排出する粉砕／排出ファン４２０と、粉砕／排出ファン４２０を介して排出される粉砕された排泄物を所定量集めるための袋や保管筒のように、粉砕／排出ファン４２０の下方向から本体１００の一側に突出して形成される排出管４４０が設置される。
【００４５】
また、便器１５０の下方向に設けられた移送手段２００のコンベヤー２１０によって移動される排泄物を熱により乾燥させることができるように、本体１００の内側面に大便ヒータ５００が設置される。
【００４６】
さらに、足場１３０の下方向には、小便器８００から流入する小便を集めるための空間部１６０が形成される。
【００４７】
小便器８００の流入手段８１０を介して流入する小便が底に集められると、それを熱で水分を蒸発させる小便ヒータ５１０が空間部１６０の底面に設置され、流入する小便は、フィルタ８１３により浄化された状態の小便を蒸発させる。この時に蒸発する小便は、小便器８００から流入する浄化された小便と、後で説明するような浄化手段１０００によって供給された小便を小便ヒータ５１０により蒸発させる。
【００４８】
なお、小便を加熱することによって蒸発する水分を凝縮するために、空間部１６０の上部側に凝縮手段５２０が設けられる。
【００４９】
凝縮手段５２０は、小便ヒータ５１０で乾燥させることによって発生する湿気を冷却するための凝縮器５２２を備え、凝縮器５２２の背面には、湿気が含まれた空気を吸入し、空気中に含まれたガスを本体１００の外部に排出できるようにファン５２５が設置される。
【００５０】
ファン５２５によって吸入される空気（湿気が含まれた空気）を凝縮器５２２で冷却させて湿気が水に変わるようにし、凝縮器５２２によって生成される水を集めるために、凝縮器５２２の下部にタンク５２３が設置される。集められた水を所定の圧力で供給することができるように、タンク５２３の内側にポンプ５２４が設置される。
【００５１】
ポンプ５２４によって供給される水は、所定の圧力で第１ノズル５３２と第２ノズル５３３に供給され、第１ノズル５３２と第２ノズル５３３を通じて噴射される水を使用してコンベヤー２１０を洗浄する。
【００５２】
また、浄化手段１０００は、本体１００の一側に形成される階段１１０の内側に、小便器から流入する小便を集めて１次浄化する第１浄化部１１００と、第１浄化部１１００から流入する小便を２次浄化する第２浄化部１２００と、第２浄化部１２００から流入する小便を３次浄化する第３浄化部１３００と、第３浄化部１３００から流入する小便を最終的に浄化する第４浄化部１４００と、第１、第２、第３、第４浄化部（１１００、１２００、１３００、１４００）において小便を浄化する際、互いに混合されることを防ぐための所定の間隔を置いて形成されるパーティションパネル１６００とで構成され、パーティションパネル１６００には排出孔１５００が形成されている。
【００５３】
排出孔１５００は、第１浄化部１１００と第２浄化部１２００とを仕切るパーティションパネル１６００と、第３浄化部１３００と第４浄化部１４００とを仕切るパーティションパネル１６００とにそれぞれ形成される。
【００５４】
なお、第１浄化部１１００は、小石、煉炭灰などのように、１次的に所定の大きさを有し吸収することができる材質で構成され、第２浄化部１２００は、砂などを用いて浄化する。ここで、第１浄化部１１００に設置された材質よりも小さな材質を使用して２次浄化を行うようにする。
【００５５】
さらに、第３浄化部１３００の内側には、不織布のような繊維材質を設置し、第１次と第２次浄化で吸収されなかった不純物を３次的に吸収し、第４浄化部１４００は、炭を設置し、第３浄化部１３００で浄化されてから流入する小便を最終的に浄化し、本体１００の内側の空間部１６０に流入されるようにする。
【００５６】
第１、第２、第３、第４浄化部（１１００、１２００、１３００、１４００）に設置される小石、煉炭灰、砂、不織布、炭によって浄化される小便は、第１浄化部１１００から第２浄化部１２００、第３浄化部１３００から第４浄化部１４００に移動されるとき、パーティションパネル１６００に形成された排出孔１５００を通じて移動し、第２浄化部１２００から第３浄化部１３００、第４浄化部１４００から空間部１６０に移動されるときには、パーティションパネル１６００の上部側に移動して浄化される。
【００５７】
上記のような構成の本発明による移動式簡易トイレの作用効果を以下に述べる。
【００５８】
使用者が用便を行うため、階段１１０から本体１００内側に入り、使用者は便器１５０の一側に設置された紙カバー１５４を便座１５１に被せるが、この時便器１５０のカバー１５２が閉めた状態である場合には、それを開けて便座１５１が見えるようにした状態で紙カバー１５４を被せて使用する。
【００５９】
使用者が用便を行うため、カバー１５２を一側方向に上げると、ヒンジ１５３を軸にしてカバー１５２が回転しながら便座１５１が見える。
【００６０】
使用者が用便を行うため、便座１５１に座ると、その下部に設置されているスイッチ９１０が押圧される。便座１５１によって押されたスイッチ９１０の作動信号がコントローラ９００に印加され、印加された信号によって移送手段２００のコンベヤー２１０を駆動することができるように電源が印加される。
【００６１】
コンベヤー２１０の一側に設置されている汚物除去ファン２２０と微生物投入手段３００の投入ファン３３０、撹拌手段４００の撹拌ファン４１０及び粉砕／排出ファン４２０を回転させるためのモータに電源を印加する。
【００６２】
モータは、コントローラ９００の内側に設置され、コンベヤー２１０、投入ファン４１０、撹拌手段４００の撹拌ファン４１０及び粉砕／排出ファン４２０が互いに連動して駆動され、前記モータは、コントローラ９００の信号によって駆動される。
【００６３】
そして、コントローラ９００によって駆動されるコンベヤー２１０、投入ファン３３０、撹拌手段４００の撹拌ファン４１０及び粉砕／排出ファン４２０は、使用者が使用するときのみ電源が印加される。
【００６４】
オゾン発生器６００と、大便及び小便ヒータ５００、５１０は、任意の時間を設定したり、継続して電源を印加し、排泄物に含まれている水分を蒸発させ、完全に乾燥させる。
【００６５】
使用者が便座１５１に座った状態で用便を行うと、小便と大便とを分けて分離処理されるが、小便は、ガイドパネル５２１を介して浄化手段１０００に流入し、大便は、便座１５１の下部に設置されたコンベヤーによって移送される。
【００６６】
小便は、ガイドパネル５２１に沿って本体１００内側の下部に設置された浄化手段１０００の第１浄化部１１００に流入し、流入された小便は、石炭灰のような大きな粒子からなる材質で１次浄化される。
【００６７】
第１浄化部１１００に流入した小便は、１次浄化された後、第２浄化部１２００に流入するが、このときには、浄化手段１０００の下部側を通じて小便が第２浄化部１２００に流入する。
【００６８】
第２浄化部１２００に流入する小便は、第１浄化部の石炭灰よりも粒子が小さな砂などによって２次浄化され、２次浄化された小便は、さらに第３浄化部１３００に流入する。このときには、パーティションパネル１６００の上部側を通じて第３浄化部１３００に流入する。
【００６９】
第３浄化部１３００に流入する小便は、不織布のような繊維材質によって浄化され、第３浄化部１３００に流入する小便は、さらに第４浄化部１４００に流入する。このときには、パーティションパネル１６００の下部側に移動する。
【００７０】
第４浄化部６００に流入する小便は、最終的に炭によって浄化され、浄化された小便は、排出孔１５００を通じて小便ヒータ５１０側に流入する。
【００７１】
大便の場合には、使用者が便座１５１に座ると、スイッチ９１０が操作され、操作信号がコントローラ９００に印加されてコンベヤー２１０が駆動される。
【００７２】
排泄物がコンベヤー２１０の上部に位置し、そのような排泄物は、コンベヤー２１０の駆動によって汚物除去ファン２２０側に移動される。
【００７３】
コンベヤー２１０で移動される排泄物は、汚物除去ファン２２０によってコンベヤー２１０から完全に除去され、ガイド部材２３０側に移動し、ガイド部材２３０に移動された排泄物は、さらに汚物除去ファン２２０によって撹拌手段４００側に移動される。
【００７４】
汚物除去ファン２２０によって排泄物が完全に除去されないことを防止するために、コンベヤー２１０の下部の一側に位置する汚物除去片２２１によって２次的に排泄物を完全に除去する。
【００７５】
その後、撹拌手段４００に移動した排泄物は、微生物と混合されるようになるが、このとき、微生物と混合される排泄物は、水分が蒸発した状態を維持しながら微生物と混合される。
【００７６】
コンベヤー２１０を通じて移動される排泄物は、速い速度で移動されるわけではなく、排泄物に含まれた水分が熱によって完全に乾燥する程度の速度で移動する。
【００７７】
移送手段２００によって移動される排泄物は、本体１００の内側に設置される大便ヒータ５００の熱によって乾燥するので、汚物除去ファン２２０によって除去されるときには、水分が完全に蒸発した排泄物を移送するようになるのでコンベヤー２１０から排泄物を除去することが容易である。
【００７８】
撹拌ファン４１０によって微生物と撹拌された排泄物は、撹拌ファン４１０により粉砕／排出ファン４２０に再び送られ、粉砕／排出ファン４２０に送られた微生物と撹拌された排泄物は、粉砕／排出ファン４２０同士が回転して排泄物を粉砕し、粉砕された排泄物は、本体１００の外側に突出して形成された排出管４４０から排出される。
【００７９】
排出管４４０によって粉砕された排泄物は、微生物と混合されるので、排泄物自体からは悪臭が発生しない。
【００８０】
このとき発生するガスや少しの臭いは、本体１００から屋根１２０に延設されている排気管７００を通じて排出されるので、本体１００の内側にはアンモニアガスが残ることを防止する。
【００８１】
また、排気管を通じてガスや臭いが排出される直前に、オゾンによって殺菌及び脱臭処理されてから排出される。
【００８２】
オゾン発生器を用いて排気管の下部のみを殺菌及び脱臭するので、オゾンによって微生物が殺菌されることを防ぎ、また、微生物はホッパーに保管されており、投入時に下部に落下して排泄物と混合されるのでオゾンの影響は受けない。
【００８３】
排泄物の移送が完了した状態で、コントローラ９００は、コンベヤー２１０に残留しかねない排泄物を完全に除去するため、ポンプ５２４に信号を印加すると、タンク５２３に保存されていた水がメイン供給管５３０を経て第１ノズル５３２と第２ノズル５３３に供給されるようにする。
【００８４】
第１ノズル５３２と第２ノズル５３３によって分解される水は、コンベヤー２１０と汚物除去ファン２２０に噴射され、その面に残留している排泄物を除去し、次の使用者が衛生的にトイレを使用することができる。
【００８５】
また、小便器８００から流入する小便は、小便器８００の下端に設置されている第１流入管８１０を介してフィルタ部８１１に流入し、このとき、フィルタ部８１１に流入された小便に含まれている尿素などの成分は、ケース８１２の内側に設置されたフィルタ８１３によって除去される。
【００８６】
尿素などの成分が除去された状態の小便は、第２流入管８０２を介して本体１００の内側に流入し、流入された小便は小便ヒータ５１０を用いて水分を蒸発させる。
【００８７】
蒸発した水分は、足場１３０の下部面に付着され、その付着された水分は、ガイドパネル５２５によってタンク５２３側に集められる。
【００８８】
また、本体１００の空気中に含まれている水分は、凝縮器５２２によって集められ、このように集められた水分も同様、タンク５２３側に流入するようにする。
【００８９】
タンク５２３に集められた水を利用してコンベヤー２１０を洗浄するが、このとき、トイレ使用後、所定の時間が経過した後に第１ノズル５３２と第２ノズル５３３で洗浄する。
【００９０】
所定の時間が経過した状態とは、汚物除去ファン２２０によって汚物がコンベヤー２１０から除去され、排泄物が撹拌ファン４１０側への移送が完了した状態で、第１ノズル５３２と第２ノズル５３３を通じて水が噴射されるようにし、コンベヤー２１０と汚物除去ファン２２０を洗浄する状態をいう。
【００９１】
第１ノズル５３２と第２ノズル５３３から噴射される水は、コンベヤー２１０の上部の両側に設置されるが、これは、用便を行う使用者が排出する小便が第１ノズル５３２と第２ノズル５３３に付くことを防止するためである。
【００９２】
第１ノズル５３２と第２ノズル５３３による水の噴射において、凝縮器５２２とガイドパネル５２５に集められた水は、ポンプ５２４によってメイン供給管５３０と第１供給管５３１を介して、第１、第２ノズル（５３２、５３３）を通じて噴射されて洗浄を行う。
【００９３】
上記のように、水を使わずに排泄物を処理し、排泄物の処理を完了した状態で、小便によって生成された水を使用してコンベヤー２１０と汚物除去ファン２２０を洗浄するので、常に清潔な状態を維持することができる。
【００９４】
また、排泄物と微生物を撹拌し、それを有機質堆肥として活用することにより、化学肥料による土地の荒廃を防止し、作物の成長にも好適である。
【００９５】
また、１つの本体１００に小便器８００を別途設置しているので、男性が小便のためにトイレを利用する場合、本体１００の内側にわざわざ入らなくても用便を行うことができる。
【産業上の利用可能性】
【００９６】
本発明は、公園、工事現場、外部駐車場など、トイレが必要な場所に設置し、排泄物を処理するとき、熱風により排泄物を乾燥させると同時に、微生物と混合させて有機質堆肥を提供し、トイレ内部で排泄物による悪い臭いがしないようにし、小便を利用して自体的に洗浄作業を行うことができるようにした移動式簡易トイレを提供する。
【図面の簡単な説明】
【００９７】
【図１】本発明による移動式簡易トイレの外観を示す斜視図。
【図２】本発明による移動式簡易トイレの内部構成を示す断面図。
【図３】図２の主要構成を示す拡大断面図。
【図４】図２の移送手段の構成を示す側面図。
【図５】本発明による移送手段のコンベヤーの構成を示す平面図。
【図６】図２の微生物投入手段を示す断面図。
【図７】図２の微生物投入手段を示す断面図。
【図８】図２の便器の構成を示す斜視図。
【図９】図２の便器の構成を示す側面図。
【図１０】図２の便器の構成を示す平面図。
【図１１】図２の撹拌ファンを示す側面図。
【図１２】本発明による小便器に連結される流入手段の構成を示す構成図。
【図１３】本発明による流入手段の構成を示す断面図。
【符号の説明】
【００９８】
１  移動式簡易トイレ
１００  本体
１１０  階段
１２０  屋根
１３０  足場
１４０  ドア
１５０  便器
１５１  便座
１５２  カバー
１５３  ヒンジ
１５４  紙カバー
１６０  空間部
１７０  紙排出口
２００  移送手段
２１０  コンベヤー
２１１  ローラ
２２０  汚物除去ファン
２２１  汚物除去片
２３０  ガイド部材
３００  微生物投入手段
３１０  投入部
３１１  投入管
３２０  ホッパー
３２１  投入口
３３０  投入ファン
４００  撹拌手段
４１０  撹拌ファン
４２０  粉砕／排出ファン
４３０  収納部
４４０  排出管
５００  大便ヒータ
５１０  小便ヒータ
５２０  凝縮手段
５２１  ガイドパネル
５２２  凝縮器
５２３  タンク
５２４  ポンプ
５２５  ファン
５３０  メイン供給管
５３１  第１供給管
５３２  第１ノズル
５３３  第２ノズル
６００  オゾン発生器
７００  排気管
８００  小便器
８０１  第１流入管
８０２  第２流入管
８１０  流入手段
８１１  フィルタ部
８１２  ケース
８１３  フィルタ
８１４  結合部材
８２０  パーティション
９００  コントローラ
９１０  スイッチ
１０００  浄化手段
１１００  第１浄化部
１２００  第２浄化部
１３００  第３浄化部
１４００  第４浄化部
１５００  排出孔
１６００  パーティションパネル
【図１】
2008504861.tif 000003
【図２】
2008504861.tif 000004
【図３】
2008504861.tif 000005
【図４】
2008504861.tif 000006
【図５】
2008504861.tif 000007
【図６】
2008504861.tif 000008
【図７】
2008504861.tif 000009
【図８】
2008504861.tif 000010
【図９】
2008504861.tif 000011
【図１０】
2008504861.tif 000012
【図１１】
2008504861.tif 000013
【図１２】
2008504861.tif 000014
【図１３】
2008504861.tif 000015
【国際調査報告】
2008504861.tif 000016
2008504861.tif 000017